(57)【要約】【課題】利用者に支障を与えることなく表示状態の正確な監視と故障に対する迅速な対応とを可能とすると共に、利用者に支障を与えることなく表示状態を良好に維持し得る保守管理方法、および情報表示装置を提供する。【解決手段】ＰＤＰ１１の裏面１１ｒ側に光センサ１４ａ等を配置し、ＰＤＰ１１の表示面１１ｆ側への出射光量に比例する裏面側出射光を捉えてパネル表示状態を検出すると共に、この検出結果を基にＰＤＰ１１の表示状態を自動調整する。調整不能となったときには自らアラームを出力し、さらに、調整履歴や故障履歴を蓄積する。光センサ１４ａ〜１４ｄの存在が表示画面を視る際の妨げにならず、また、調整の都度、光センサを配置してこれを専用の調整機器と接続するという手間が必要ない。ＰＤＰ１１の表示状態を光センサ１４ａ等によって直接的に検出するので、検出精度が高い。【選択図】図１
2006285276.tif 000002
【特許請求の範囲】
【請求項１】
平板形状を有し、与えられた情報に応じて内部で発光が生ずると共に、その内部発光が表裏両面側に発散される発光表示板と、
前記発光表示板における表示面でない裏面側に設けられた表示状態検出用の光検出手段と、
前記光検出手段により得られた表示状態検出情報を基に、前記発光表示板の表示状態を調整する調整手段と、
前記調整手段によりなされた調整の履歴を含む装置保守管理情報を保持する保守管理情報保持手段と
を備えたことを特徴とする情報表示装置。
【請求項２】
前記保守管理情報保持手段は、前記調整手段によりなされた調整の履歴を含む調整履歴データおよび装置に生じた故障履歴データを保持する
ことを特徴とする請求項１記載の情報表示装置。
【請求項３】
前記調整手段は、光検出手段により得られた表示状態検出情報を基に、前記発光表示板の表示状態を自動的に調整する
ことを特徴とする請求項２記載の情報表示装置。
【請求項４】
前記故障履歴データには、予め定められた範囲の表示状態まで調整できなかった調整項目が含まれている
ことを特徴とする請求項３記載の情報表示装置。
【請求項５】
さらに、前記保守管理情報保持手段が保持する装置保守管理情報、または前記光検出手段から出力された表示状態検出情報を、自己の装置の識別情報と共に外部に出力する通信手段を備えた
ことを特徴とする請求項１記載の情報表示装置。
【請求項６】
前記通信手段は、多数の同種の情報表示装置を統括管理するために配設された中央制御装置に接続され、前記装置保守管理情報、または前記表示状態検出情報を前記中央制御装置出力すると共に、前記中央制御装置からの指令に基づき前記調整手段による調整を行う
ことを特徴とする請求項５記載の情報表示装置。
【請求項７】
前記中央制御装置からの起動指令に基づき、自己の装置電源をオン状態にすると共に前記調整手段による調整を開始する
ことを特徴とする請求項６記載の情報表示装置。
【請求項８】
前記通信手段は、前記調整手段により予め定められた範囲の表示状態まで調整できなかった場合に警告信号を出力する
ことを特徴とする請求項５記載の情報表示装置。
【請求項９】
平板形状を有し、与えられた情報に応じて内部で発光が生ずると共に、その内部発光が表裏両面側に発散される発光表示板を有する情報表示装置の表示状態を保守管理するための方法であって、
前記発光表示板における表示面でない裏面側に光検出手段を設け、この光検出手段の出力に基づいて前記発光表示板の表示状態を検出し、
前記光検出手段による検出結果を基に、前記発光表示板の表示状態を調整すると共に、その調整の履歴を含む装置保守管理情報を保持し、
前記装置保守管理情報を適宜参照して前記情報表示装置の保守管理を行うようにした
ことを特徴とする情報表示装置の保守管理方法。
【発明の詳細な説明】
【技術分野】
【０００１】
本発明は内部発光が表裏両面側に発散されるパネル型の発光表示板を備えた情報表示装置、およびその保守管理方法に関する。
【背景技術】
【０００２】
従来より、テレビジョン受像機やコンピュータディスプレイ装置等の映像表示装置としては、ＣＲＴ（陰極線管）やＬＣＤ（液晶表示素子）等のデバイスが多用されているが、近年では、いわゆるプラズマディスプレイパネル（ＰＤＰ）のように電圧印加に応じて自ら発光するパネル型の表示素子も実用化されている。これらの表示装置では、使用による経時変化等により、輝度（明るさ）や色温度等の表示状態が徐々に変化する傾向があるため、表示状態を最良に維持するためには、時々、その調整を行う必要がある。
【０００３】
従来、このような表示装置における輝度や色温度等の画面表示状態の調整は、保守者またはユーザによって定期的にまたは随時行われていた。この場合、表示面側（視覚者側）のいずれかの位置に光センサを適宜配置すると共に、これらの各センサからの出力信号を専用の調整装置で受けて表示画像を直接検出し、適正な表示画像となるように適宜調整を行うという方法や、表示に関与する電流や電圧等を検出することにより表示状態を間接的に検出して調整を行うという方法が採られていた。
【０００４】
なお、以上の説明に関連するものとして、以下の先行技術文献が挙げられる（特許文献１）。
【０００５】
【特許文献１】特開平５−１１９７３９号公報
【発明の開示】
【発明が解決しようとする課題】
【０００６】
上記した２つの方法のうち、前者の方法では、実際に表示されている画像を直接モニタするので、高精度な調整が可能になるという利点があるが、その一方、表示面側に光センサを配置することから、この光センサによって表示情報の一部が遮蔽されてしまうという不都合がある。特に、例えば、駅の構内や空港の離発着ターミナル等の公共的施設、あるいは、デパート等のショッピングセンタにおける案内表示板のように、利用者にとって常時完全な情報表示が必要となる用途においては、たとえ一時であっても表示情報の一部が遮蔽されるような方法は採ることができない。また、この方法では、調整に当たって、光センサの設置のほか、専用の調整装置の設置も必要となるので、調整前の段取りに相当手間がかかる。したがって、極めて多数の案内表示板が配設されている上記のような施設においては、これらのすべてを保守者が常時適切に管理することは不可能に近く、故障や画質劣化が発生した表示板を迅速に発見して対応することが困難であった。
【０００７】
一方、後者の方法は、例えばＣＲＴディスプレイ装置を例に取ると、電子銃に流れる電流を監視することで管面（蛍光面）の表示状態を検出するという形で実現される。ところが、この方法では、表示状態は表示に関与する電流によって間接的にモニタされるにすぎず、例えば蛍光体の劣化や電流のリーク等の要因により、電流と表示状態とが正しく対応しなくなったときには、表示状態の検出精度、ひいては調整精度が著しく低下する。
【０００８】
このように、従来の映像表示装置においては、その表示状態を常時良好に維持したり、故障を素早く発見することが困難であり、仮に従来方法によってこれを行うとなると、多大の費用と時間とを要すると共に、業務上あるいは利用者へのサービス上の支障が生ずることを回避できなかった。
【０００９】
本発明はかかる問題点に鑑みてなされたもので、その目的は、利用者に支障を与えることなく表示状態の正確な監視と故障に対する迅速な対応とを可能とすると共に、利用者に支障を与えることなく表示状態を良好に維持し得る保守管理方法、およびこの方法を適用した情報表示装置を提供することにある。
【課題を解決するための手段】
【００１０】
本発明に係る情報表示装置は、平板形状を有し、与えられた情報に応じて内部で発光が生ずると共に、その内部発光が表裏両面側に発散される発光表示板と、この発光表示板における表示面でない裏面側に設けられた表示状態検出用の光検出手段と、この光検出手段により得られた表示状態検出情報を基に、発光表示板の表示状態を調整する調整手段と、この調整手段によりなされた調整の履歴を含む装置保守管理情報を保持する保守管理情報保持手段とを備えたものである。
【００１１】
本発明に係る情報表示装置の保守管理方法は、発光表示板における表示面でない裏面側に設けた光検出手段の出力に基づいて発光表示板の表示状態を検出し、光検出手段による検出結果を基に発光表示板の表示状態を調整すると共に、その調整の履歴を含む装置保守管理情報を保持し、この装置保守管理情報を適宜参照して情報表示装置の保守管理を行うようにしたものである。
【００１２】
本発明に係る情報表示装置では、発光表示板の表裏両面側に発散される光のうち、表示面でない裏面側に発散される光が検出され、その検出結果を基に発光表示板の表示状態が調整され、その調整履歴を含む装置保守管理情報が保持される。
【００１３】
本発明に係る情報表示装置の保守管理方法では、保持された、調整履歴を含む装置保守管理情報が適宜参照されて、情報表示装置の保守管理が行われる。
【発明の効果】
【００１４】
本発明に係る情報表示装置によれば、発光表示板の裏面側に光検出手段を設け、発光表示板の表裏両面側に発散される光のうち、表示面でない裏面側に発散される光を検出し、この検出結果を基に発光表示板の表示状態を調整すると共に、この調整履歴を含む装置保守管理情報を保持するようにしたので、通常の情報表示時において光検出手段の存在が表示画面を視る際の妨げになるということがない。しかも、調整の都度、光検出手段を配置してこれを専用の調整機器と接続するという手間が必要ないので、表示状態の監視が極めて容易となり、それに要するコストを大幅に低減することができるという効果がある。また、表示に関与する電流等によって間接的に表示状態を検出する方法と異なり、発光表示板の表示状態を光検出手段によって直接検出するようにしたので、高精度の検出が可能になるという効果もある。また、従来のように人手を必要とすることなく、表示状態を最適に維持することができるという効果もある。さらに、調整履歴を含む装置保守管理情報を基に装置の使用状態や劣化状態を把握したり、装置寿命の予測等を的確に行うことも可能になるという効果もある。
【００１５】
また、本発明に係る情報表示装置の保守管理方法によれば、発光表示板の裏面側に設けた光検出手段によって、発光表示板の表裏両面側に発散される光のうち、表示面でない裏面側に発散される光を検出し、この検出結果を基に発光表示板の表示状態を自動調整すると共に、この調整の履歴を含む装置保守管理情報を保持するようにしたので、これらの情報を基に装置の使用状態や劣化状態を把握したり、装置寿命の予測等を行う等、装置の保守管理を的確に行うことができるという効果がある。
【発明を実施するための最良の形態】
【００１６】
以下、本発明の一実施の形態について図面を参照して詳細に説明する。
【００１７】
図１および図２は本発明の一実施の形態に係る情報表示装置の外観構成を表すものである。ここで、図１は側面側から見た状態を示し、図２は要部を背面側から見た状態を表す。なお、本発明に係る情報表示装置の保守管理方法については、図１および図２に示した情報表示装置により具現化されるので、以下併せて説明するものとする。
【００１８】
図１に示したように、この情報表示装置は、プラズマディスプレイパネル（以下、ＰＤＰという。）１１と制御ボード１２とを備えたＰＤＰユニット１０として構成されている。なお、図２では制御ボード１２を省略して図示している。ＰＤＰ１１は、例えば図３に示したような断面構造を有する画像情報表示用パネルであり、裏面１１ｒの側に、補強部材１３ａ，１３ｂと４つの光センサ１４ａ〜１４ｄとが取り付けられている。光センサ１４ａ〜１４ｄは、それぞれ、例えばフォトダイオード等からなるカラーセンサであって、Ｒ（赤），Ｇ（緑），Ｂ（青）の各色を独立に検知できるようになっている。光センサ１４ａ〜１４ｄは、それぞれ、信号線１５によって制御ボード１２上の後述するセンサアンプ１８（図４）に接続されている。制御ボード１２は、取付部材１６によってＰＤＰ１１の背面の補強部材１３ａ，１３ｂに取り付けられている。この制御ボード１２は、ＩＣチップ等の多数の電子部品１２ａを搭載した配線基板モジュールとして構成されている。ここで、ＰＤＰ１１が本発明における発光表示板に対応し、光センサ１４ａ〜１４ｄが本発明における光検出手段に対応する。
【００１９】
図３はＰＤＰ１１の断面構造を表すものである。このＰＤＰ１１は、例えば、交流電界の印加によってプラズマ発光を生ずる交流型プラズマディスプレイパネルとして構成されたもので、裏面側基板部１１１と、この裏面側基板部１１１と一定距離を隔てて対向配置された表示面側基板部１１２と、これらの両基板部間に配設されて両基板間の距離を一定距離に保つと共に両者に挟まれた空間１１５に所定のガスを封止するために設けられた枠兼用スペーサ１１３と、両基板部間の距離を一定に保つために設けられたスペーサ１１４とを備えている。
【００２０】
裏面側基板部１１１は、透明なガラス基板１１１ａと、このガラス基板１１１ａ上に一定間隔で一方向（ここではｘ軸方向とする。）に延設された透明電極１１１ｂと、この透明電極１１１ｂを覆うようにしてガラス基板１１１ａ上に形成された透明誘電膜１１１ｃとを含んで構成されている。透明誘電膜１１１ｃの上には、透明電極１１１ｂの形成位置に対応して、Ｒ色用の蛍光膜１１６Ｒ，Ｇ色用の蛍光膜１１６Ｇ，およびＢ色用の蛍光膜１１６Ｂが交互に繰り返しストライプ状に形成されている。一方、表示面側基板部１１２は、透明なガラス基板１１２ａと、このガラス基板１１２ａ上に一定間隔で上記ｘ軸方向と直交する方向（ここではｙ軸方向とする。）に延設された透明電極１１２ｂと、この透明電極１１２ｂを覆うようにしてガラス基板１１２ａ上に形成された透明誘電膜１１２ｃとを含んで構成されている。そして、裏面側基板部１１１と表示面側基板部１１２とは、双方の透明誘電膜１１１ｃ，１１２ｃが対向するようにして配設されている。
【００２１】
裏面側基板部１１１と表示面側基板部１１２との間の空間１１５に封止されるガスとしては、例えば、アルゴン（Ａｒ）を含んだネオン（Ｎｅ）を主とするガスが用いられる。そして、このＰＤＰ１１では、画像信号に応じて透明電極１１１ｂと透明電極１１２ｂとの間に所定電圧以上の交流電界が選択的に印加されることによって、両電極の交点部分における封入ガス中にプラズマ放電が生じて発光し、この光が蛍光膜１１６Ｒ，１１６Ｇ，１１６Ｂを叩いてそれぞれの色の光を発生するようになっている。この発光現象により生じた光の大部分は表示面１１ｆの側から放出されるが、一部の光（例えば１０数％程度）は裏面１１ｒの側からも放出される。
【００２２】
図４はＰＤＰユニット１０に搭載された制御ボード１２の概略回路構成を表すものである。この図に示したように、制御ボード１２は、光センサ１４ａ〜１４ｄ（図１，図２）からの出力信号をそれぞれ増幅するためのセンサアンプ１８と、ＰＤＰ１１の表示駆動を行うパネル駆動部１９と、このＰＤＰユニット１０全体を制御する主制御部２０とを備えている。主制御部２０は、表示しようとする画像に対応した画像データ２１やパネル駆動に必要な各種の制御データ２２をパネル駆動部１９に供給すると共に、ネットワーク２４を介して、遠隔配置された中央制御装置（図示せず）と通信可能となっている。パネル駆動部１９は駆動データ２３によってＰＤＰ１１を駆動するようになっている。ここで、主制御部２０が本発明における自動調整手段に対応する。
【００２３】
図５は図４における主制御部２０の回路構成を表すものである。この主制御部２０は、内部バス２０１によって相互に接続された、ＣＰＵ（中央処理装置）２０２、後述する各種データを格納するための不揮発性メモリ２０３、ＣＰＵ２０２の動作プログラム等を格納したＲＯＭ（Read Only Memory）２０４、ワークメモリとしてのＲＡＭ（Random Access Memory）２０５、パネルインタフェイス（Ｉ／Ｆ）２０６、通信ポート２０７、およびセンサＩ／Ｆ２０８を備えている。
【００２４】
ＣＰＵ２０２は、表示対象の画像情報をネットワーク２４から受け取ってパネル駆動部１９に送出したり、ネットワーク２４を介して中央制御装置（本図では図示せず）との間で必要なデータ通信を行うほか、光センサ１４ａ〜１４ｄの出力を基にＰＤＰ１１の表示状態のチェックや調整のための制御を行うようになっている。
【００２５】
不揮発性メモリ２０３は、例えばＥＥＰＲＭ（電気的消去書込可能ＲＯＭ）等のメモリであり、調整時において表示するテスト画像に対応した調整用画像データ２０３ａや、調整時において光センサ１４ａ〜１４ｄの出力（正確には、センサアンプ１８からセンサＩ／Ｆ２０８を介して入力される表示状態検出データ）と比較される基準データ２０３ｂを格納するほか、運転に伴って発生するＰＤＰ１１の状態を管理するためのデバイス状態管理データ２０３ｃ等を蓄積するようになっている。ここで、不揮発性メモリ２０３が本発明における保守管理情報保持手段に対応し、デバイス状態管理データ２０３ｃが本発明における装置保守管理情報に対応する。
【００２６】
パネルＩ／Ｆ２０６はパネル駆動部１９に接続され、ＣＰＵ２０２からの画像データや制御データをパネル駆動部１９が利用できる形の画像データ２１と制御データ２２とに変換して出力するようになっている。通信ポート２０７はネットワーク２４に接続され、中央制御装置３０（本図では図示せず）との間でデータの送受信を行うようになっている。センサＩ／Ｆ２０８はセンサアンプ１８（図４）からのアナログ出力をディジタル信号に変換したり所定の波形成形等を行うためのものである。
【００２７】
図６は図４に示したＰＤＰユニット１０を含む情報表示システムの全体構成を表すものである。このシステムは、ネットワーク２４に接続された多数のＰＤＰユニット１０−１〜１０−ｎと単一の中央制御装置３０とを含んで構成されている。ＰＤＰユニット１０−１〜１０−ｎは、いずれも図１〜図５に示したＰＤＰユニット１０と同様の構成である。中央制御装置３０は、ネットワーク２４を介し、ＰＤＰユニット１０−１〜１０−ｎに対して、それぞれ、表示させようとする情報を送ると共に、定期的あるいは必要に応じて適宜、各ＰＤＰユニット１０−１〜１０−ｎに蓄積されたデバイス状態管理データ２０３ｃの送出を求める命令を送るようになっている。ＰＤＰユニット１０−１〜１０−ｎは、中央制御装置３０からの要求に応じて、自己の主制御部２０内の不揮発性メモリ２０３に蓄積されたデバイス状態管理データ２０３ｃの必要部分を読み出し、中央制御装置３０に送出したり、中央制御装置３０からの調整値変更命令に応じて、不揮発性メモリ２０３内の基準データ２０３ｂを変更するようになっている。
【００２８】
図７は図５の不揮発性メモリ２０３に格納されたデバイス状態管理データ２０３ｃの内容を表すものである。このデバイス状態管理データ２０３ｃは、ＰＤＰユニット１０の識別のためのデバイスＩＤと、通電使用された総時間を示す累積通電時間と、ＰＤＰ１１の表示状態を調整した履歴を蓄積してなる調整履歴データと、ＰＤＰ１１に生じた故障の履歴を蓄積してなる故障履歴データとを含んでいる。
【００２９】
調整履歴データは、調整を行った年月日・時刻と、調整項目（実際に調整の行われた項目）と、調整値（調整後における値）とを含み、これらが組となって１つのデータをなしている。ここで、調整項目としては、例えばＲＧＢの各色ごとの輝度、色温度、ＲＧＢの各色の輝度バランスを示すホワイトバランス、あるいはコントラスト等がある。また、調整値とは、ＰＤＰ１１に供給する表示電圧（具体的には、図３の透明電極１１１ｂ，１１２ｂ間に印加する交流電圧の大きさ）である。
【００３０】
故障履歴データは、故障の発生した年月日・時刻と、故障内容と、処置内容とを含み、これらが組となって１つのデータをなしている。故障内容は、ＰＤＰ１１の表示状態の調整を行った際に、予め定められた範囲の表示状態にまで調整できなかった場合も含む。
【００３１】
次に、図８〜図１０を参照して、以上のような構成の情報表示装置の動作を説明する。ここで、図８は起動時における初期動作の内容を示し、図９は自動調整動作の内容を示し、図１０はＰＤＰユニット１０と中央制御装置３０との間で行われる通信処理の内容を示している。
【００３２】
まず、図８を参照して、起動時における初期動作を説明する。中央制御装置３０からの命令により電源がオンすると（ステップＳ１０１）、ＰＤＰユニット１０は自動調整モードに入り（ステップＳ１０２）、図９に示したような流れによって自動調整を行う（ステップＳ１０３）。
【００３３】
図９において、主制御部２０のＣＰＵ２０２は、まず、不揮発性メモリ２０３から調整用画像データ２０３ａを読み出し（ステップＳ２０１）、これをパネル駆動部１９に送ってＰＤＰ１１に調整用画像を表示する（ステップＳ２０２）。このとき、例えば、ホワイトバランスの調整の場合には、ＲＧＢの各色画像の表示電圧を等しく設定して白色表示を行う。また、ある色（例えばＲ色）についての色温度調整の場合には、Ｒ色画像の表示電圧のみを有効とし、他の２色（ＧおよびＢ色）の表示電圧をオフする。
【００３４】
この状態で、光センサ１４ａ〜１４ｄは、それぞれ、ＰＤＰ１１の裏面１１ｒ側に放出される光強度に応じた検出信号を出力する。このとき、ＰＤＰ１１の裏面１１ｒ側に放出される光強度は、画面上の同じ位置において表示面１１ｆ側に放出される光の強度と比例関係にあると考えられる。したがって、裏面１１ｒ側に放出される光強度に基づいてＰＤＰ１１の表示状態を調整することは、表示面１１ｆ側に実際に放出されている光に基づいて調整を行うこととほぼ等価である。
【００３５】
さて、光センサ１４ａ〜１４ｄから出力された各検出信号は、センサアンプ１８によってそれぞれ増幅されて、主制御部２０に入力される。主制御部２０に入力された検出信号は、それぞれ、センサＩ／Ｆ２０８によって適当な時間間隔でサンプリングされてディジタルデータに変換される（ステップＳ２０３）。ＣＰＵ２０２は、これらのセンサ出力データの平均値を算出し（ステップＳ２０４）、この平均値を不揮発性メモリ２０３から読み出した基準データ２０３ｂと比較する（ステップＳ２０５）。この結果、算出した平均値が許容範囲内にあるときは（ステップＳ２０６；Ｙ）、ステップＳ２０１に戻って次の調整項目の調整工程に移る。
【００３６】
一方、算出した平均値が許容範囲内には入っていないが（ステップＳ２０６；Ｎ）、この調整ループが調整モードにおける第１回目のループであるとき（ステップＳ２０７；Ｙ）、または第２回目以降のループではあるが前回のループで求めた平均値に対して変化があるときは（ステップＳ２０８；Ｙ）、ＣＰＵ２０２は、表示用電圧、すなわち調整値を変更して（ステップＳ２０９）、ステップＳ２０２に戻る。これに対して、この調整ループが第２回目以降のループであって（ステップＳ２０７；Ｎ）、かつ、前回のループにおける平均値に対して変化がないときは（ステップＳ２０８；Ｎ）、調整不能または故障と判断して（ステップＳ２１０）、図８のステップＳ１０４に進む。
【００３７】
このようにして、各調整項目ごとに図９のＡからＢまでのステップに従って調整が行われる。
【００３８】
再び、図８に戻って説明する。上記の調整工程の結果、調整が正常に終了したときは（ステップＳ１０４；Ｙ）、ＣＰＵ２０２は、各調整項目ごとの調整工程における最終ループで設定された表示用電圧をそれぞれの調整値とし、これらを調整項目および調整年月日・時刻と共に、調整履歴として不揮発性メモリ２０３に記録する（ステップＳ１０５）。そして、通常の表示モードに移行する（ステップＳ１０６）。
【００３９】
一方、上記の調整工程の結果、調整が正常に終了しなかったときは（ステップＳ１０４；Ｎ）、ＣＰＵ２０２は、調整不能または故障である旨を知らせるためのアラーム信号をネットワーク２４を介して中央制御装置３０に送出すると共に（ステップＳ１０７）、その調整不能であった調整項目を年月日・時刻と共に故障履歴データとして不揮発性メモリ２０３に書き込む（ステップＳ１０８）。なお、この後、部品交換等の処置が行われた場合には、ＣＰＵ２０２によって、対応する故障履歴データに処置内容が追記される。
【００４０】
次に、図１０を参照して、ＰＤＰユニット１０と中央制御装置３０との間で行われる通信処理について説明する。
【００４１】
主制御部２０のＣＰＵ２０２は、中央制御装置３０からネットワーク２４を介して送られてくる命令を監視する。そして、履歴内容の問い合わせの命令があったときは（ステップＳ３０１；Ｙ）、不揮発性メモリ２０３から、累積通電時間、調整履歴データ、および故障履歴データを読み出し（ステップＳ３０２）、デバイスＩＤと共にネットワーク２４を介して中央制御装置３０に送出する（ステップＳ３０３）。
【００４２】
一方、中央制御装置３０から基準データ変更命令があったときは（ステップＳ３０１；Ｎ，ステップＳ３０４；Ｙ）、不揮発性メモリ２０３内の基準データ２０３ｂを、指示された内容に書き替える（ステップＳ３０５）。これにより、これ以降、起動時の初期動作時においては、その変更された基準データ２０３ｂに従ってＰＤＰ１１の表示状態の調整が行われることとなる。
【００４３】
このように、本実施の形態に係る情報表示装置では、ＰＤＰ１１の裏面１１ｒ側に光センサ１４ａ〜１４ｄを配置し、ＰＤＰ１１の表示面１１ｆ側への出射光量に比例する裏面側出射光を捉えて輝度や色温度等のパネル表示状態を検出するようにしたので、通常の情報表示時においても光センサ１４ａ〜１４ｄの存在が表示画面を視る際の妨げになるということがない。しかも、光センサ１４ａ〜１４ｄを定常的に配置しておくようにしたので、調整の都度、光センサを配置してこれを専用の調整機器と接続するという手間が必要なく、保守管理が極めて容易となり、それに要するコストを大幅に低減することができる。また、ＰＤＰ１１の表示状態を光センサ１４ａ〜１４ｄによって直接的に検出するようにしたので、検出精度が高くなる。しかも、装置の起動ごとに自動調整を行うようにしたので、表示画像品質を常に最良の状態に保つことができる。また、調整不能となったときは自らアラームを出力するようにしたので、装置寿命が来たことを早期に確実に知らせることができる。さらに、調整履歴や故障履歴を蓄積するようにしたので、蛍光体の劣化による輝度低下等の経時変化の把握や装置寿命の予測等を的確に行うことも可能となる。また、各ＰＤＰユニット１０をネットワークによって中央制御装置３０と接続するようにしたので、遠隔地から多数のＰＤＰユニット１０−１〜１０−ｎを集中管理することができる。
【００４４】
以上、いくつかの実施の形態を挙げて本発明を説明したが、本発明はこれらの実施の形態に限定されず、種々変更可能である。例えば、上記実施の形態では、光センサは４箇所としたが、より少なく、あるいはより多く配設するようにしてもよい。また、光センサの形状をライン型として縦方向および横方向に沿って配設し、ＰＤＰ１１の全面における平均輝度を検出するようにしてもよい。さらに、一方の面から入射した光を端面に導くことができる透明導光板と、この導光板の端面から出射する光を検出するライン型光センサとによって面型光センサを構成し、この面型光センサをＰＤＰ１１の裏面に配置してそのセンサ出力を利用することも可能である。この場合には、ＰＤＰ１１の全面における平均輝度をより正確に検出することができる。
【００４５】
また、光センサはカラーセンサでなく、単色センサであってもよい。この場合は、ＲＧＢの各単色表示を順次行って３色の各々についての輝度を検出し、演算によりホワイトバランス等を求めるようにすればよい。
【００４６】
また、上記の実施の形態では、４つの光センサ出力の平均値を基に調整するようにしたが、このほか、各光センサの出力を独立に利用して、ＰＤＰ１１上の位置によって異なる調整を行うようにしてもよい。これにより、パネル上の不均一な輝度分布や色分布を是正するような調整も可能となる。この場合、光センサの数を増やすことにより、不均一な輝度分布パターンが細かい場合にも対応することができる。
【００４７】
また、上記の実施の形態では、主として輝度に関する調整を行うようにしたが、そのほか、有効表示領域の位置ずれやサイズの調整を行うようにすることも可能である。
【００４８】
また、上記の実施の形態では、起動時の初期動作において自動調整を行うようにしたが、通常の表示状態において、視覚的に支障がない程度の短い時間で瞬間的に調整用画像を挿入し、これに対する光センサ出力から調整を行うようにしてもよい。この場合には、起動時のみならず、任意の時刻に調整可能なので、高頻度で調整することができ、表示品質を常に良好に維持可能である。
【００４９】
また、上記の実施の形態では、ネットワークを介して中央制御装置３０から多数のＰＤＰユニット１０−１〜１０−ｎを遠隔管理するようにしたが、ネットワーク方式でなく、各ＰＤＰユニット１０を専用線によって中央制御装置３０に直結するようにしてもよい。さらに、中央制御装置３０を設けずに、各ＰＤＰユニット１０ごとに保守管理用の表示部や操作部等を設けて、アラーム表示や基準データの変更処理等の保守管理をローカル的に行うようにしてもよい。また、上記の実施の形態では、ＰＤＰユニット１０は中央制御装置３０からの問い合わせに応じて履歴データを送出するようにしたが、ＰＤＰユニット１０から自主的に定期的に履歴データを中央制御装置３０に送出するようにしてもよい。さらに、履歴データのみならず、光センサ１４ａ〜１４ｄによって検出された表示状態検出データをそのまま送出するようにしてもよい。
【００５０】
上記の実施の形態では、ＰＤＰ１１は交流型のプラズマディスプレイパネルとして説明したが、直流型のものであってもよい。さらに、本発明は、表示面の反対側の面にも表示光量に対応した光が放出されるような表示デバイスであれば、プラズマディスプレイパネル以外にも適用可能である。
【図面の簡単な説明】
【００５１】
【図１】本発明の一実施の形態に係る情報表示装置としてのプラズマディスプレイパネルユニットの外観を表す側面図である。
【図２】図１のプラズマディスプレイパネルユニットの外観を表す平面図である。
【図３】図１におけるプラズマディスプレイパネルの要部の拡大断面図である。
【図４】図１のプラズマディスプレイパネルユニットの概略回路構成を表すブロック図である。
【図５】図４における主制御部の回路構成を表すブロック図である。
【図６】図４のプラズマディスプレイユニットを含む情報表示システムの全体構成を表すブロック図である。
【図７】図４の主制御部の不揮発性メモリに格納されたデバイス状態管理データの内容を表す図である。
【図８】図４のプラズマディスプレイパネルユニットの起動時における初期動作を説明するための流れ図である。
【図９】図８における自動調整工程を説明するための流れ図である。
【図１０】中央制御装置からの指令に応じて行うプラズマディスプレイパネルユニット側の処理を説明するための流れ図である。
【符号の説明】
【００５２】
１０，１０−１〜１０−ｎ…プラズマディスプレイパネルユニット、１１…プラズマディスプレイパネル、１２…制御ボード、１４ａ〜１４ｄ…光センサ、１９…パネル駆動部、２０…主制御部、３０…中央制御装置、２０２…ＣＰＵ、２０３…不揮発性メモリ、２０３ａ…調整用画像データ、２０３ｂ…基準データ、２０３ｃ…デバイス状態管理データ、２０７…通信ポート。
【図１】
2006285276.tif 000003
【図２】
2006285276.tif 000004
【図３】
2006285276.tif 000005
【図４】
2006285276.tif 000006
【図５】
2006285276.tif 000007
【図６】
2006285276.tif 000008
【図７】
2006285276.tif 000009
【図８】
2006285276.tif 000010
【図９】
2006285276.tif 000011
【図１０】
2006285276.tif 000012